(57)【要約】【課題】かご形誘導電動機における回転子導体及び短絡環構造に関し、短絡環の内径が大きいため回転子の銅損が大きくなり効率が低下する問題がある点である。【解決手段】本発明は、回転子鉄心と、この回転子鉄心の外周近くに間隔を置いて設置された多数の回転子スロットと、これらの回転子スロットに埋め込まれた回転子導体と、回転子鉄心の両端に設置された短絡環を備えたかご形誘導電動機において、回転子鉄心の外径Ｄｒに対する短絡環の内径Ｄｅの比Ｄｅ／Ｄｒを０.５以下とし、かつ回転子導体の径方向高さｈｂの比ｈｂ／Ｄｒを０.２以上かつ０.３以下としたことを特徴とする。【選択図】  図１
2013005697.tif 000002
【特許請求の範囲】
【請求項１】
固定子鉄心と、この固定子鉄心の内周近くに間隔を置いて設置された多数の固定子スロットと、これらの固定子スロットに巻装された固定子巻線を有する固定子と、回転子鉄心と、この回転子鉄心の外周近くに間隔を置いて設置された多数の回転子スロットと、これらの回転子スロットに埋め込まれた回転子導体と、回転子鉄心の両端に設置された短絡環を有する回転子を備えたかご形誘導電動機において、
回転子鉄心の外径Ｄｒに対する短絡環の内径Ｄｅの比となるＤｅ／Ｄｒを０.５以下としたことを特徴とするかご形誘導電動機。
【請求項２】
請求項１記載のかご形誘導電動機において、
前記回転子鉄心の内周側にシャフトが配置され、シャフトの外径よりも前記短絡環の内径Ｄｅが大きいことを特徴とするかご形誘導電動機。
【請求項３】
請求項１又は２記載のかご形誘導電動機において、
前記回転子鉄心の外径Ｄｒに対する前記回転子導体の径方向高さｈｂの比となるｈｂ／Ｄｒを０.２以上としたことを特徴とするかご形誘導電動機。
【請求項４】
請求項１乃至３記載のかご形誘導電動機において、
前記回転子鉄心の外径Ｄｒに対する前記回転子導体の径方向高さｈｂの比となるｈｂ／Ｄｒを０.３以下としたことを特徴とするかご形誘導電動機。
【請求項５】
請求項１乃至４記載のかご形誘導電動機において、
前記短絡環の内径側ほど幅が大きくなるように構成したことを特徴とするかご形誘導電動機。
【請求項６】
請求項１乃至５記載のかご形誘導電動機において、
前記回転子導体の径方向高さが、前記短絡環に近いほど高いことを特徴とするかご形誘導電動機。
【請求項７】
請求項１乃至６記載のかご形誘導電動機において、
前記回転子鉄心の外周面からの距離が、前記回転子導体よりも前記短絡環の方が大きいことを特徴とするかご形誘導電動機。
【請求項８】
請求項１乃至７記載のかご形誘導電動機において、
前記短絡環の外周と内周の差が、前記回転子鉄心に近いほど大きいことを特徴とするかご形誘導電動機。
【請求項９】
請求項１乃至８において、回転子導体の径方向高さが、前記短絡環に近いほど、片側のみ高いことを特徴とするかご形誘導電動機。
【請求項１０】
請求項１乃至９記載のかご形誘導電動機において、極数を６極以下とすることを特徴とするかご形誘導電動機。
【請求項１１】
固定子鉄心と、
前記固定子鉄心に間隔を置いて設置された固定子スロットと、
前記固定子スロットに巻装された固定子巻線を有する固定子と、
前記回転子鉄心と、前記回転子鉄心に間隔を置いて設置された回転子スロットと、
前記回転子スロットに埋め込まれた回転子導体と、
前記回転子鉄心の両端に設置された短絡環とを有する回転子を備えたかご形誘導電動機であって、
前記回転子鉄心の外径Ｄｒに対する前記回転子導体の径方向高さｈｂの比となるｈｂ／Ｄｒを０.２以上とし、前記回転子鉄心の外径Ｄｒに対する前記回転子導体の径方向高さｈｂの比となるｈｂ／Ｄｒを０.３以下とし、
前記回転子導体の径方向高さが、前記短絡環に近いほど高くなるよう構成されたことを特徴とするかご形誘導電動機。
【請求項１２】
固定子鉄心と、
前記固定子鉄心に間隔を置いて設置された固定子スロットと、
前記固定子スロットに巻装された固定子巻線を有する固定子と、
前記回転子鉄心と、前記回転子鉄心に間隔を置いて設置された回転子スロットと、
前記回転子スロットに埋め込まれた回転子導体と、
前記回転子鉄心の両端に設置された短絡環とを有する回転子を備えたかご形誘導電動機であって、
前記回転子鉄心の外径Ｄｒに対する短絡環の内径Ｄｅの比となるＤｅ／Ｄｒを０.５以下とし、前記回転子鉄心の外径Ｄｒに対する前記回転子導体の径方向高さｈｂの比となるｈｂ／Ｄｒを０.２以上とし、前記回転子鉄心の外径Ｄｒに対する前記回転子導体の径方向高さｈｂの比となるｈｂ／Ｄｒを０.３以下としたことを特徴とするかご形誘導電動機。
【発明の詳細な説明】
【技術分野】
【０００１】
本発明はかご形誘導電動機に係わり、特に回転子導体及び短絡環構造に関する。
【背景技術】
【０００２】
従来のかご形誘導電動機において、回転子導体及び短絡環構造に関する公知例として、特許文献１には、短絡環の内周面に放熱片を設けるため、短絡環の内径を小さくした従来技術を開示している。
【先行技術文献】
【特許文献】
【０００３】
【特許文献１】特開２０１０−２６３７５８号公報
【発明の概要】
【発明が解決しようとする課題】
【０００４】
上記特許文献１の従来技術においては、回転子導体及び短絡環構造に関する技術の開示はあるが、回転子導体の径方向高さが小さいため回転子の銅損が大きくなり効率が低下するという問題があった。そもそも特許文献１においては、短絡環の内径を小さくすることに着目した技術の開示があるのみで、回転子導体の径方向高さについて着目がなされておらず、非効率であった。
【０００５】
そこで、本発明の目的は、高効率なかご形誘導電動機を提供することである。
【課題を解決するための手段】
【０００６】
上記課題を解決するために、本発明においては、例えば、回転子導体の径方向高さに着目し、回転子鉄心の外径Ｄｒに対する短絡環の内径Ｄｅの比Ｄｅ／Ｄｒを０.５以下とし、かつ回転子導体の径方向高さｈｂの比ｈｂ／Ｄｒを０.２以上かつ０.３以下としたことを特徴とする。
【発明の効果】
【０００７】
本発明の代表的な一つによれば、高効率なかご形誘導電動機を提供できる。
【図面の簡単な説明】
【０００８】
【図１】本発明の一実施例によるかご形誘導電動機の部分断面図。
【図２】本発明の一実施例によるかご形誘導電動機の非特許文献１のＩＥ３規格に対する効率特性図。
【図３】本発明の一実施例によるかご形誘導電動機の回転子導体及び短絡環の体積の和。
【図４】本発明の一実施例によるかご形誘導電動機の回転子導体及び短絡環の体積の和で効率を割った商。
【図５】本発明の一実施例によるかご形誘導電動機の部分断面図。
【図６】本発明の一実施例によるかご形誘導電動機の部分断面図。
【図７】本発明の一実施例によるかご形誘導電動機の部分断面図。
【図８】本発明の一実施例によるかご形誘導電動機の部分断面図。
【図９】本発明の一実施例によるかご形誘導電動機の部分断面図。
【発明を実施するための形態】
【０００９】
以下、図示した実施例に基づいて、本発明を詳細に説明する。
【実施例１】
【００１０】
図１は、本発明の一実施例によるかご形誘導電動機の部分断面図である。固定子１０は、固定子鉄心１１と、固定子鉄心１１の内周近くに間隔を置いて設置された多数の固定子スロット１２と、固定子スロット１２に巻装された固定子巻線１３を備える。
【００１１】
回転子２０においては、回転子鉄心２１と、回転子鉄心２１の外周近くに間隔を置いて設置された多数の回転子スロット２２と、回転子スロット２２に埋め込まれた回転子導体２３と、回転子鉄心２１の両端に設置された短絡環２４と、回転子鉄心の内周側に設置されたシャフト２５を備えたかご形誘導電動機において、回転子鉄心の外径Ｄｒに対する短絡環の内径Ｄｅの比となるＤｅ／Ｄｒを０.５以下とし、かつ回転子導体の径方向高さｈｂの比となるｈｂ／Ｄｒを０.２以上かつ０.３以下としている。
【００１２】
さらに、シャフトの外径よりも短絡環の内径Ｄｅを大きくしている。
【００１３】
図２は、本発明の一実施例によるかご形誘導電動機の標準規格ＩＥＣ６００３４−３０に対する効率特性図を示すものである。
【００１４】
図２に示されるように、Ｄｅ／Ｄｒが０.５以下、かつｈｂ／Ｄｒが０.２〜０.３の範囲で、非特許文献１のＩＥ３規格を達成しており、Ｄｅ／Ｄｒが０.５以下、かつｈｂ／Ｄｒが０.２〜０.３の範囲が高効率なかご形誘導電動機を提供するための条件であることが分かる。これら数値範囲は、単なる設計事項ではなく、回転子導体の径方向高さ方向における損失を考慮し、かつ、ＩＥＣ上の規格をも満たす条件であり、容易に導かれる類のものではない。
【００１５】
図３は、本発明の一実施例によるかご形誘導電動機の回転子導体及び短絡環の体積の和である。
【００１６】
ここでは、短絡環の内径Ｄｅを変化させると同時に短絡環の幅Ｗｅを変化させる。これにより短絡環の断面積が変化しないようにしている。短絡環と回転子の外径は変化させていない。
【００１７】
また、短絡環の体積は短絡環の径と断面積に比例する。このことから、Ｄｅ／Ｄｒが小さいほど短絡環２４の体積は小さくなり、かご形誘導電動機の材料費を低減することができる。
【００１８】
図３において、ｈｂ／Ｄｒが大きくなるに連れて回転子導体と短絡環の体積の和が大きくなっているため、効率が最大となる点よりも、ｈｂ／Ｄｒを小さくしたほうが、大きくするよりも少ない材料費で同じ効率を得られる。
【００１９】
図４は、本発明の一実施例によるかご形誘導電動機の回転子導体及び短絡環の体積の和で効率を割った商である。Ｄｅ／Ｄｒが小さいほど、回転子導体及び短絡環の体積の和の割に高い効率を得られることができるため、かご形誘導電動機の材料費を低減することができる。
【実施例２】
【００２０】
図５は、本発明の一実施例によるかご形誘導電動機の部分断面図である。実施例１のかご形誘導電動機においては、短絡環２４の内径側ほど短絡環の幅Ｗｅを大きくしている。図２〜図４の効率特性検討の際に、短絡環２４の内径側ほど電気抵抗が小さく電流が流れ易いという知見を得た。
【００２１】
これら知見により、短絡環２４の内径側ほど短絡環の幅Ｗｅを大きくするという技術思想が生まれた。このような構成とすることで、電流が流れやすい短絡環２４の内径側に多くの電流が集まり、短絡環２４全体の電気抵抗が小さくなる。
【００２２】
すなわち、短絡環２４で発生する銅損と呼ばれる電気的な損失が低減され、より高効率なかご形誘導電動機を提供できる。
【００２３】
さらに、短絡環の断面積が同じでも、短絡環の幅Ｗｅを内径側ほど大きくし、外径側ほど小さくしたほうが、短絡環の体積は小さくなるため、かご形誘導電動機の材料費を低減することができる。
【実施例３】
【００２４】
図６は、本発明の一実施例によるかご形誘導電動機の部分断面図である。実施例１のかご形誘導電動機において、回転子導体の径方向高さｈｂを、短絡環２４に近いほど高くしている。
【００２５】
このような構成とすることで、電流が流れやすい短絡環２４の内径側に多くの電流が集まり、短絡環２４全体の電気抵抗が小さくなる。
【００２６】
すなわち、短絡環２４で発生する銅損が低減され、より高効率なかご形誘導電動機を提供できる。
【実施例４】
【００２７】
図７は、本発明の一実施例によるかご形誘導電動機の部分断面図である。実施例１のかご形誘導電動機において、回転子鉄心の外周面からの回転子導体の距離Ａよりも、回転子鉄心の外周面からの短絡環の距離Ｂのほうを大きくしている。
【００２８】
ここで、短絡環の体積は、短絡環の径に比例するため、短絡環の外径が小さくなり、かご形誘導電動機の材料費を低減することができる。
【００２９】
また、回転子導体２３に流れる電流の高調波成分は、外周側に集中するため、短絡環２４に流れる高調波電流を低減できる。さらに、固定子巻線１３と短絡環２４との距離が大きくなるため、電飾防止対策となる。
【実施例５】
【００３０】
図８は、本発明の一実施例によるかご形誘導電動機の部分断面図である。実施例１のかご形誘導電動機において、短絡環２４の外径と内径の差が、回転子鉄心に近いほど大きくしている。
【００３１】
ここで、短絡環の径方向高さは、回転子鉄心から最も離れた位置でＡ、逆に最も近い場所でＢとした場合、Ａ＜Ｂの関係になる。そうすることで、回転子導体２３と短絡環２４をダイカストで製作する際、ダイカストの型を短絡環２４から取り外し易くなる。
【実施例６】
【００３２】
図９は、本発明の一実施例によるかご形誘導電動機の部分断面図である。実施例１のかご形誘導電動機において、回転子導体の径方向高さｈｂを、短絡環２４に近いほど片側のみ高くしている。
【００３３】
ここで、回転子導体２３と短絡環２４をダイカストで製作する際、図９の右側からダイカスト材を流し込めば、短絡環２４と回転子導体２３との段差がなくなり、ダイカストが容易になる。
【実施例７】
【００３４】
本実施例は、実施例１のかご形誘導電動機において、極数を６極以下とする。図２のように短絡環の内径Ｄｅを小さくすることで効率が向上する。しかしながら、図示はしていないが、極数が小さいほど効率向上の効果が大きい。８極以上であると効果がほとんどなく、極数は６極以下とすることが望ましい。
【実施例８】
【００３５】
ここでは、上述した実施例１〜実施例７のかご形誘導電動機を、ファンを駆動するかご誘導電動機の駆動システムに適用することについて説明する。
【００３６】
実施例１〜実施例７の短絡環２４は、短絡環の内径Ｄｅを小さくしているため、回転子の慣性が小さく、ファンを素早く加速させることができる。
【００３７】
また、実施例１〜実施例７のかご形誘導電動機は、高効率でかつ材料費を低減できるため、高効率でかつ安価なかご誘導電動機の駆動システムを提供できる。
【００３８】
また、適用システムとしては、ポンプ，ミル，ドリルなどでもよく、これらシステムに実施例１乃至実施例７のかご形誘導電動機を適用することでも、起動時間を短くでき、また、効率でかつ安価なかご誘導電動機の駆動システムを提供できる。
【符号の説明】
【００３９】
１０  固定子
１１  固定子鉄心
１２  固定子スロット
１３  固定子巻線
２０  回転子
２１  回転子鉄心
２２  回転子スロット
２３  回転子導体
２４  短絡環
２５  シャフト
【図１】
2013005697.tif 000003
【図２】
2013005697.tif 000004
【図３】
2013005697.tif 000005
【図４】
2013005697.tif 000006
【図５】
2013005697.tif 000007
【図６】
2013005697.tif 000008
【図７】
2013005697.tif 000009
【図８】
2013005697.tif 000010
【図９】
2013005697.tif 000011